(57)【要約】      （修正有）【課題】簡単な構成、簡単な施工で、厨房等で任意の位置に排水溝を自在に設置出来きて、排水が床下に漏水しない、乾式遮音二重床を提供する。【解決手段】温度変化で膨張収縮の極めて小さい木質系の乾式遮音二重床と、排水溝との隙間を密着させるために排水溝の下部から両側に、予めコンクリートで枠を形成して、このコンクリート枠に乾式遮音二重床の床パネルを固定する。【選択図】図７
0003162388.tif 000002
【実用新案登録請求の範囲】
【請求項１】
厨房などの床を木質系の乾式遮音二重床とし、排水溝との隙間を密着させて排水が床下に浸透しないように、乾式遮音二重床と排水溝との隙間を密着させるために、排水溝の下部から両側に予めコンクリートで枠を形成して、このコンクリート枠に乾式遮音二重床の床パネルが固定出来ることを特徴とする二重床構造。
【請求項２】
厨房などの床を木質系の乾式遮音二重床とし、排水溝との隙間を密着させて排水が床下に浸透しないように、乾式遮音二重床と排水溝との隙間を密着させるために、排水溝の上部溝にＬ字の金物を挿入して、金物の反対側の端部を乾式遮音二重床に固定することを特徴とする二重床構造。
【考案の詳細な説明】
【技術分野】
【０００１】    この考案は、厨房等で任意の位置に排水溝を自在に設置出来きて、床を木質系の乾式遮音二重床とし、排水溝との隙間を密着させて排水が床下に浸透しないようにしたことを特徴とする二重床構造に関する。
【背景技術】
【０００２】    従来厨房等の床は、食材加工中の残砕及び清掃等で排水溝に洗い流す為に、コンクリート床に溝を設けてその中に排水溝を設置するのが知られている。
既設の建物での厨房の場合、ステンレススチール製の架台を設置して床を嵩上げして排水溝を設置していた。【０００３】    ステンレススチール製の架台を設置するのは、床下への漏水の可能性が有るため、錆を防止する目的で有った。然し、価格が高く実際には漏水を防止出来なかった。
原因は、高温の残砕等を流すとステンレススチール製の架台は温度変化で膨張収縮する。その為、その膨張収縮により床の仕上材に亀裂が発生して漏水事故が起こり、床下にカビ等が発生する原因となり不衛生になっていた。
【考案の概要】
【考案が解決しようとする課題】
【０００４】    総論として、安価で現場での施工が容易で、床仕上材の樹脂系シートと排水溝のジョイント溶接部の剥離や亀裂が発生せず、床下への漏水のない床システムの開発を図ることを目的とした観点からの、研究開発及び考案の必要があった。【０００５】    この考案は、かかる実情に鑑みてなされたもので、簡単な構成、簡単な施工で、安価に、かつ効果的に排水溝を設置出来て、仕上材に亀裂を生ぜず漏水のない乾式遮音二重床と排水溝の組合せシステムを提供することを目的としている。
【課題を解決するための手段】
【０００６】    前記課題を解決し、かつ目的を達成するために、以下のように構成した。【０００７】    請求項１に記載の考案は、温度変化で膨張収縮の極めて小さい木質系の乾式遮音二重床と、排水溝との隙間を密着させるために排水溝の下部から両側に、予めコンクリートで枠を形成して、このコンクリート枠に乾式遮音二重床の床パネルが確りと固定出来ることを第１の特徴とする。【０００８】    請求項２に記載の考案は、乾式遮音二重床と排水溝との隙間を密着させるために、排水溝の上部溝にＬ字の金物を挿入して、金物の反対側の端部を乾式遮音二重床に固定することを特徴としている。
【考案の効果】
【０００９】    前記構成により、この考案は、以下のような効果を有する。【００１０】    構造上、排水溝に乾式遮音二重床の床パネルを直接固定出来ないので、排水溝にコンクリートで枠を形成することによって、そのコンクリート部に床パネルを固定して、排水溝と床パネルを一体にさせることができ、簡単な構成、簡単な施工で、安価に、かつ効果的に乾式遮音二重床での排水溝設置の床が実現できる。
【考案を実施するための形態】
【００１１】    以下、この考案の乾式遮音二重床と排水溝の組合せ構造の実施の形態について説明する。
この考案の実施の形態は、考案の最も好ましい形態を示すものであり、この考案はこれに限定されない。
【実施例】
【００１２】    まず、構成する部材について説明する。
図１は標準的な排水溝の斜視図、図２は排水溝の断面図。図３は根太の斜視図、図４は根太の断面図。図５は支持脚の斜視図、図６は支持脚の断面図、図７は乾式遮音二重床と排水溝の組合せ構造のモルタル部を有する実施形態の断面図。図８は乾式遮音二重床と排水溝の組合せ構造のＬ形金物を用いた実施形態の断面図。図９はＬ形金物の斜視図である。【００１３】    以下図面の例に従い本考案を更に具体的に説明すれば、図７においてＡは既存のコンクリート等の躯体床で、Ｂは排水溝である。６はＡの上にＢを固定するコンクリートで、一般に使用されている固定金具でも良い。７は合板等の型枠で、８のコンクリートを流し込み硬化させるためのもの。８のコンクリートは、Ｂの上端の２／３位辺の高さまで注入硬化させる。Ｃは、１の木部に２の高さ調整用のボルト部を有する根太である。
次に９の木質系パーティクルボード等の床パネルの端を、７の型枠よりＢ側に延ばして、Ｃの根太の上に載せる。９の床パネルの反対側の端を、Ｄの支持脚（３は頭部ブロックでパーティクルボード等の木質材で、４は高さ調整用のボルト部、１０の木ビス等で固定する。その上で、ＣとＤのボルト部を回転させて高さを調整して、１１に接着剤を注入して固定する。
次に、１２の木ビスを９の床パネルのＢ寄りの位置に上からねじ込む。
更に、１３の捨貼合板を釘で９の床パネルに固定する。
尚、９の床パネルをＣの根太とＤの支持脚で構成する床組全体を、Ｅの乾式遮音二重床という。
その上で、Ｂの排水溝と１３の捨貼合板の隙間から１２のコンクリートの上に１４のモルタルを流し込み、１３の捨貼合板とＢの天端とをレベルを合せて一体とする。
この時、１２の木ビスが１４のモルタル部に埋設されて一体となり、Ｂの排水溝と９の床パネル・１３の捨貼合板は、１４のモルタルを介して一体となる。
１４のモルタル硬化後に、Ｂの排水溝の上部に１５のアングルを接着固定し、Ｅの床全面に１６の樹脂系シートを接着して敷き込み、１５のアングルと１７の溶接部位で、溶接一体化させる。【００１４】  一方図８に示されるように、Ｂの排水溝の１８の溝に金属製か高強度樹脂製のＧのアングルの短部１９を挿入し、Ｇのアングルの２０のビス穴から１０の木ビスで１３の捨貼り合板及び９の床パネルに貫通固定して、Ｂの排水溝とＥの乾式遮音二重床とを一体化させる。
Ｅの床全面に１６の樹脂系シートを接着して敷き込み、１７の溶接部位でＢの排水溝と溶接一体化させる。
【産業上の利用可能性】
【００１５】    この考案は、既設の建物等においても、任意の位置に排水溝を自在に設置出来て、簡単な構成、簡単な施工で、安価に、衛生的で漏水の恐れがなく、かつ木質系下地なのでコンクリート躯体からの冷えを防止出来て、踏み心地の良い厨房等の床を実現できる。
【図面の簡単な説明】
【００１６】
【図１】排水溝の斜視図。
【図２】排水溝の断面図。
【図３】根太の斜視図。
【図４】根太の断面図。
【図５】支持脚の斜視図。
【図６】支持脚の断面図。
【図７】乾式遮音二重床と排水溝の組合せのモルタル部を有する実施形態の断面図。
【図８】乾式遮音二重床と排水溝の組合せのＬ形金物を用いた実施形態の断面図。
【図９】Ｌ形金物の斜視図。
【符号の説明】
【００１７】      Ａ  既存のコンクリート等の躯体床
Ｂ    排水溝
Ｃ    根太
Ｄ    支持脚
Ｅ    乾式遮音二重床の構成全体
Ｆ    排水溝のギャラリ
Ｇ    アングル
１  根太の頭部
２  根太の高さ調整用のボルト部
３  支持脚の頭部
４  支持脚の高さ調整用のボルト部
５  支持脚の高さ調整用のナット部
６  排水溝固定用のコンクリート
７  合板等の型枠
８  コンクリート
９  木質系パーティクルボード等の床パネル
１０  木ビス
１１  支持脚の高さ調整用ボルト部の頭部溝
１２  床パネルの固定用ビス
１３  捨貼合板
１４  モルタル
１５  アングル
１６  樹脂系シート
１７  溶接部位
１８  溝部
１９  短部
２０  ビス穴
【図１】
0003162388.tif 000003
【図２】
0003162388.tif 000004
【図３】
0003162388.tif 000005
【図４】
0003162388.tif 000006
【図５】
0003162388.tif 000007
【図６】
0003162388.tif 000008
【図７】
0003162388.tif 000009
【図８】
0003162388.tif 000010
【図９】
0003162388.tif 000011